(57)【要約】【課題】表面反射輝度を含めた輝度管理と含めない輝度管理とを両立して行うことができ、実施するＱＣに対応して、ＪＩＳやＤＩＣＯＭなどの規格等に準拠した適正な輝度測定を行うことを可能にする。【解決手段】ディスプレイ輝度測定において、周囲光による前記ディスプレイの表面反射輝度を予め知見すると共に、輝度計によるディスプレイの測定輝度値に対する補正として、補正無し、表面反射輝度を加算、および、表面反射輝度を減算を独立に設定しておき、いずれかを選択して測定輝度値を算出することにより、前記課題を解決する。【選択図】図１
2004309373.tif 000002
【特許請求の範囲】
【請求項１】
ディスプレイの階調補正を行うための輝度測定において、
周囲光による前記ディスプレイの表面反射輝度を予め知見すると共に、輝度計によるディスプレイの測定輝度値に対する補正として、補正無し、前記表面反射輝度を加算、および、前記表面反射輝度を減算を独立に設定しておき、いずれかを選択して測定輝度値を処理することを特徴とする輝度測定方法。
【請求項２】
ディスプレイの品質管理を行うための輝度測定において、
周囲光による前記ディスプレイの表面反射輝度を予め知見すると共に、輝度計によるディスプレイの測定輝度値に対する補正として、補正無し、前記表面反射輝度を加算、および、前記表面反射輝度を減算を独立に設定しておき、
実施する品質管理が不変性試験の場合には、補正無し、および、前記表面反射輝度を加算のいずれかを選択して、測定輝度値を処理し、実施する品質管理が輝度階調キャリブレーションの場合には、補正無し、前記表面反射輝度を加算、および、前記表面反射輝度を減算のいずれかを選択して、測定輝度値を処理することを特徴とする輝度測定方法。
【請求項３】
前記輝度階調キャリブレーションを行う際に、
対応する階調特性が表面反射輝度を含む輝度測定を設定しており、かつ、輝度測定を行った輝度計が望遠型の場合には前記補正無しを、
対応する階調特性が表面反射輝度を含む輝度測定を設定しており、かつ、輝度測定を行った輝度計が接触型の場合には前記表面反射輝度を加算を、
対応する階調特性が表面反射輝度を含まない輝度測定を設定しており、かつ、輝度測定を行った輝度計が望遠型の場合には前記表面反射輝度を減算を、
対応する階調特性が表面反射輝度を含まない輝度測定を設定しており、かつ、輝度測定を行った輝度計が接触型の場合には前記補正無しを、それぞれ選択する請求項１または２に記載の輝度測定方法。
【請求項４】
前記不変性試験を行う際に、輝度測定を行った輝度計が望遠型輝度計の場合には前記補正無しを選択し、輝度測定を行った輝度計が接触型輝度計の場合には前記表面反射輝度を加算を選択する請求項２または３に記載の輝度測定方法。
【請求項５】
ディスプレイの輝度測定結果を処理するためのプログラムであって、
前記ディスプレイの表面反射輝度値を所定の記憶手段に記憶させる機能、入力された測定輝度値に補正を行わない第１の処理、入力された測定輝度値に前記記憶手段が記憶する表面反射輝度を加算する第２の処理、および入力された測定輝度値から前記記憶手段が記憶する表面反射輝度を減算する第３の処理を実施する演算機能、ならびに、前記第１の処理、第２の処理および第３の処理のいずれかの実施を自動的もしくは入力指示に応じて選択して前記演算機能に実施させる選択機能、を実現させるためのプログラム。
【請求項６】
さらに、ディスプレイの表面反射輝度を含む輝度測定が設定された第１の階調特性およびディスプレイの表面反射輝度を含まない輝度測定が設定された第２の階調特性のいずれかを選択する機能、ならびに、望遠型輝度計および接触型輝度計のいずれかを選択する機能を実行させ、
前記選択機能は、前記第１の階調特性および望遠型輝度計が選択された場合には前記第１の処理を；  前記第１の階調特性および接触型輝度計が選択された場合には前記第２の処理を；  前記第２の階調特性および望遠型輝度計が選択された場合には前記第３の処理を；  前記第２の階調特性および接触型輝度計が選択された場合には前記第１の処理を；  それぞれ自動的に選択する請求項５に記載のプログラム。
【請求項７】
さらに、実施する品質管理として、輝度階調キャリブレーションおよび不変性試験のいずれか選択する機能を実行させ、
前記選択機能は、前記不変性試験および望遠型輝度計が選択された際には前記第１の処理を；  前記不変性試験および接触型輝度計が選択された場合には前記第２の処理を；  それぞれ自動的に選択する請求項６に記載のプログラム。
【発明の詳細な説明】
【０００１】
【発明の属する技術分野】
本発明は、ディスプレイの輝度測定の技術分野に属し、特に、医療用ディスプレイの輝度測定に好適なディスプレイの輝度測定方法、および、この輝度測定方法を実行させるプログラムに関する。
【０００２】
【従来の技術】
ＣＴ診断装置、ＭＲＩ診断装置、Ｘ線診断装置、ＦＣＲ（富士コンピューテッドラジオグラフィー）等の医療用測定装置で撮影された診断画像は、通常、Ｘ線フィルムやフィルム感光材料等の光透過性の画像記録フィルムに記録され、光透過性の画像として再生される。この診断画像が再生されたフィルムは、シャーカステンと呼ばれる光源装置にセットされて、背面から光を照射された状態で観察され、診断が行われる。
これに対して、近年では、医療用測定装置で撮影した診断画像をディスプレイに表示して、観察／診断することが行われている（電子シャーカステン）。
【０００３】
各種のディスプレイにおいては、供給された画像データに対応する適正な画像を表示することが要求されるのは、当然のことである。特に医療用のディスプレイでは、表示した画像が不適性であると誤診の原因にも成り得るので、画像データ応じた適正な画像を表示することは重要である。
これに対応して、医療用のディスプレイにおける適正画像の安定した表示を行うために、ディスプレイの品質管理（ディスプレイＱＣ）が行われている。
【０００４】
ディスプレイＱＣとしては、例えば、ＪＩＳ  Ｚ  ４７５２−２−５に規定される不変性試験（医用画像部門における品質維持の評価および日常試験方法  第２−５部：不変性試験−医用画像表示装置）や、画像を適正な輝度階調特性で表示させるためのキャリブレーション（階調補正および階調確認）等が知られている。両者は、共に、輝度計を用いてのディスプレイの表示輝度測定が必要である。
ところが、従来のディスプレイＱＣでは、輝度計による測定輝度値の扱いが、必ずしも適正であるとは言い難いのが現状である。
【０００５】
【発明が解決しようとする課題】
例えば、ＪＩＳの不変性試験では、グレースケール試験において、所定のグレースケールテストパターンを表示してディスプレイの表示輝度測定を行う。ここで、この輝度測定では、周囲光によるディスプレイの表面反射輝度Ｌａｍｂ  を含めた形で輝度測定を行うことが規定されている。すなわち周囲光の影響を含めた形でＱＣを行うことが規定されている。
【０００６】
また、医療用のディスプレイでは、通常、医療用測定装置（モダリティ）等に応じて、目的とする（輝度）階調特性での画像表示を行うように、画像データを補正する階調補正ＬＵＴ（ルックアップテーブル）を作成し、これで画像データを補正して医療用画像を表示している。キャリブレーションは、輝度計を用いてディスプレイの最高輝度Ｌｍａｘ  や最低輝度Ｌｍｉｎ  を測定し、それに応じて、適正な輝度階調での画像表示ができるように階調補正ＬＵＴを書き換えることで行われる。ここで、この輝度測定は、一般的に、ディスプレイが対応する医療用測定装置に応じて異なる。
【０００７】
例えば、ＭＲＩやＣＴ等で撮影された画像を表示するディスプレイは、ＤＩＣＯＭ（医療用画像データや波形データ等の伝送規格）のＧＳＤＦ（グレースケール標準表示関数）による階調特性での画像表示を行う場合が多い。ここで、ＤＩＣＯＭでは、キャリブレーションの際における輝度測定は、先の不変性試験と同様、表面反射輝度Ｌａｍｂ  を含めて行うことを規定している。
これに対して、ＦＣＲなどの、いわゆるＣＲでは、従来から診断に利用されているイメージャによるＸ線フィルムと同様の診断画像を表示するために、対数を取った際に中間階調が直線的となるＬｏｇ−Ｌｉｎｅａｒ（ログリニア）と呼ばれる階調特性での画像表示を行う場合が多い。ここで、このＬｏｇ−Ｌｉｎｅａｒでの画像表示におけるキャリブレーションでは、表面反射輝度Ｌａｍｂ  （周囲光の影響）を含めずに輝度測定を行うことを推奨している。
【０００８】
さらに、輝度計としては、接触型輝度計と望遠型輝度計が知られている。
ここで、接触型輝度計と望遠型輝度計とでは、測定されるディスプレイの表示輝度が異なり、接触型輝度計では表面反射輝度Ｌａｍｂ  を含まない表示輝度が測定され、望遠型輝度計では表面反射輝度Ｌａｍｂ  を含む表示輝度が測定される。
【０００９】
パーソナルコンピュータ（ＰＣ）の普及等に伴い、このようなディスプレイＱＣにおける輝度測定結果はＰＣに取り込まれ、ＱＣソフトを用いて処理されて、その結果に応じて、ディスプレイを適正に保つための各種の処置が行われる。
ところが、このようなＱＣソフトを含めて、従来のディスプレイＱＣにおいては、輝度計で測定した輝度の取り扱いは、ケースによらず同一である。すなわち、ディスプレイＱＣにおいては、不変性試験を行う場合でも、ＤＩＣＯＭに対応するキャリブレーションを行う場合でも、Ｌｏｇ−Ｌｉｎｅａｒに対応するキャリブレーションを行う場合でも、さらには、測定に用いた輝度計が接触型でも望遠型でも、測定した輝度値は同じに扱われていることが多い。
【００１０】
そのため、従来のディスプレイＱＣでは、規格等に準拠した適正なＱＣが行われているとは言い難く、例えば、日常的にＱＣを行っているにも関わらず、ディスプレイが、階調特性等が不適正な画像を表示している可能性も高い。
【００１１】
本発明の目的は、前記従来技術の問題点を解決することにあり、主に医療用の診断画像の表示に使用されるディスプレイのＱＣにおいて、ディスプレイの表面反射輝度Ｌａｍｂ  （周囲光）の影響を含めた輝度管理と含めない輝度管理とを両立して行うことができ、実施するＱＣに対応して、ＪＩＳやＤＩＣＯＭなどの規格等に準拠した適正な輝度測定を行って、規格に準拠した適正なディスプレイＱＣを簡易に行うことを可能にする輝度測定方法、および、コンピュータ等に、この輝度測定方法を実現させるプログラムを提供することに有る。
【００１２】
【課題を解決するための手段】
前記目的を達成するために、本発明の輝度測定方法の第１の態様は、ディスプレイの階調補正を行うための輝度測定において、周囲光による前記ディスプレイの表面反射輝度を予め知見すると共に、輝度計によるディスプレイの測定輝度値に対する補正として、補正無し、前記表面反射輝度を加算、および、前記表面反射輝度を減算を独立に設定しておき、いずれかを選択して測定輝度値を処理することを特徴とする輝度測定方法を提供する。
【００１３】
また、本発明の輝度測定方法の第２の態様は、ディスプレイの品質管理を行うための輝度測定において、周囲光による前記ディスプレイの表面反射輝度を予め知見すると共に、輝度計によるディスプレイの測定輝度値に対する補正として、補正無し、前記表面反射輝度を加算、前記表面反射輝度を減算を独立に設定しておき、実施する品質管理が不変性試験の場合には、補正無し、および、前記表面反射輝度を加算のいずれかを選択して、測定輝度値を処理し、実施する品質管理が輝度階調キャリブレーションの場合には、補正無し、前記表面反射輝度を加算、および、前記表面反射輝度を減算のいずれかを選択して、測定輝度値を処理することを特徴とする輝度測定方法を提供する。
【００１４】
このような本発明の輝度測定方法において、輝度階調キャリブレーションを行う際に、対応する階調特性が表面反射輝度を含む輝度測定を設定しており、かつ、輝度測定を行った輝度計が望遠型の場合には前記補正無しを、対応する階調特性が表面反射輝度を含む輝度測定を設定しており、かつ、輝度測定を行った輝度計が接触型の場合には前記表面反射輝度を加算を、対応する階調特性が表面反射輝度を含まない輝度測定を設定しており、かつ、輝度測定を行った輝度計が望遠型の場合には前記表面反射輝度を減算を、対応する階調特性が表面反射輝度を含まない輝度測定を設定しており、かつ、輝度測定を行った輝度計が接触型の場合には前記補正無しを、それぞれ選択するのが好ましい。
さらに、不変性試験を行う際に、輝度測定を行った輝度計が望遠型輝度計の場合には前記補正無しを選択し、輝度測定を行った輝度計が接触型輝度計の場合には前記表面反射輝度を加算を選択するのが好ましい。
【００１５】
また、本発明のプログラムは、ディスプレイの輝度測定結果を処理するためのプログラムであって、前記ディスプレイの表面反射輝度値を所定の記憶手段に記憶させる機能、入力された測定輝度値に補正を行わない第１の処理、入力された測定輝度値に前記記憶手段が記憶する表面反射輝度を加算する第２の処理、および入力された測定輝度値から前記記憶手段が記憶する表面反射輝度を減算する第３の処理を実施する演算機能、ならびに、前記第１の処理、第２の処理および第３の処理のいずれかの実施を自動的もしくは入力指示に応じて選択して前記演算機能に実施させる選択機能、を実現させるためのプログラムを提供する。
【００１６】
このような本発明のプログラムにおいて、さらに、ディスプレイの表面反射輝度を含む輝度測定が設定された第１の階調特性およびディスプレイの表面反射輝度を含まない輝度測定が設定された第２の階調特性のいずれかを選択する機能、ならびに、望遠型輝度計および接触型輝度計のいずれかを選択する機能を実行させ、前記選択機能は、前記第１の階調特性および望遠型輝度計が選択された場合には前記第１の処理を；前記第１の階調特性および接触型輝度計が選択された場合には前記第２の処理を；前記第２の階調特性および望遠型輝度計が選択された場合には前記第３の処理を；前記第２の階調特性および接触型輝度計が選択された場合には前記第１の処理を；それぞれ自動的に選択するのが好ましい。
さらに、実施する品質管理として、輝度階調キャリブレーションおよび不変性試験のいずれか選択する機能を実行させ、前記選択機能は、前記不変性試験および望遠型輝度計が選択された際には前記第１の処理を；前記不変性試験および接触型輝度計が選択された場合には前記第２の処理を；それぞれ自動的に選択するのが好ましい。
【００１７】
【発明の実施の形態】
以下、本発明の輝度測定方法およびプログラムについて、添付の図面に示される好適実施例を基に詳細に説明する。
【００１８】
図１に、本発明の輝度測定方法および本発明のプログラムを実施する表示システムの一例の概念図を示す。
図１に示す表示システム１０（以下、システム１０とする）は、ＦＣＲ（富士コンピューテッドラジオグラフィ）などのＣＲ、ＦＰＤ（フラットパネルディテクタ）を用いて医療用画像を得る装置、フィルムに撮影された医療用画像をデジタル画像化する装置、ＭＲＩ、ＣＴ等の医療用測定装置によって得られた医療用画像の画像データＲを取得して、この画像を表示する、医療用画像の表示システムであって、基本的に、ディスプレイ１２と、ＱＣ制御手段１４と、ディスプレイ１２のＱＣ（品質管理）に用いられる望遠型輝度計１６および接触型輝度計１８とを有して構成される。
【００１９】
図示例のシステム１０において、ディスプレイ１２は、医療用測定装置から供給された画像データＲの医療用画像を表示するもので、本発明による輝度測定の対象となるものである。
本発明において、輝度測定を行うディスプレイ１２には、特に限定はなく、ＣＲＴ（Ｃａｔｈｏｄｅ  Ｒａｙ  Ｔｕｂｅ）、ＬＣＤ（液晶ディスプレイ）、プラズマディスプレイ、エレクトロクロミックディスプレイ、電界発光ディスプレイ等、各種のディスプレイが全て利用可能である。また、ディスプレイ１２は、カラーディスプレイでもモノクロディスプレイでもよく、さらに、カラーディスプレイによってモノクロ画像を表示するものであってもよい。
【００２０】
望遠型輝度計１６および接触型輝度計１８は、共に、ディスプレイ１２の輝度測定に用いられる公知の輝度計であり、例えば、各種のディスプレイ等の輝度測定等に利用される市販品を用いればよい。図示例においては、両輝度計とＱＣ制御手段１４とは、オンライン接続されているが、本発明を利用するシステムは、これに限定はされず、輝度計による測定結果をキーボード等を用いて入力する構成でもよい。
なお、本発明は、望遠型輝度計１６および接触型輝度計１８の両者を有するシステムのみならず、いずれか一方のみを有するシステムにも利用可能であるのは、もちろんである。
【００２１】
ＱＣ制御手段１４は、ディスプレイ１２のＱＣを行うためのものであり、ＱＣツール２０と、メモリ２２と、操作手段２４を有して構成される。
システム１０においては、ディスプレイ１２のＱＣとして、ＪＩＳ（ＪＩＳ  Ｚ  ４７５２−２−５）の不変性試験、および、ディスプレイ１２の表示画像を所定の（輝度）階調特性の画像とするための（輝度階調）キャリブレーション（階調補正および階調確認）が実施可能である。
【００２２】
また、システム１０は、一例として、ＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ「医療用画像データや波形データ等の伝送規格」）のＧＳＤＦ（Ｇｒａｙｓｃａｌｅ  Ｓｔａｎｄａｒｄ  Ｄｉｓｐｌａｙ  Ｆｕｎｃｔｉｏｎ「グレースケール標準表示関数」）に対応する階調特性（以下、ＤＩＣＯＭ階調とする）での画像表示、および、Ｌｏｇ−Ｌｉｎｅａｒ（ログリニア）と呼ばれる階調特性でのディスプレイ１２の画像表示に対応している。
これに対応して、システム１０では、ディスプレイ１２のＱＣのキャリブレーションとして、ＤＩＣＯＭ階調に対応するキャリブレーションと、Ｌｏｇ−Ｌｉｎｅａｒに対応する対応キャリブレーションとが実施可能となっている。
【００２３】
ＤＩＣＯＭ階調は、対応する医療等測定装置がＭＲＩやＣＴ等である場合の画像表示に汎用される階調特性である。
他方、Ｌｏｇ−Ｌｉｎｅａｒとは、富士写真フイルム株式会社製のデジタルＸ線画像診断システムであるＦＣＲ（Ｆｕｊｉ  Ｃｏｍｐｕｔｅｄ  Ｒａｄｉｏｇｒａｐｈｙ）など、いわゆるＣＲでの画像表示に汎用される、従来のイメージャーによるＸ線フィルムの画像をディスプレイで再現するための階調特性であり、対数を取った状態で、中間階調領域が直線状となり、高輝度領域の階調が若干寝て、低輝度領域の階調が若干立つような階調特性である。
【００２４】
ＱＣツール２０は、ＱＣの際における各種の操作やテストパターン、ＱＣにおける各種の測定結果等のディスプレイ１２による表示、ＱＣのための各種の演算や処理等を行うものである。
メモリ２２は、ＱＣ用の各種のテストパターンの画像データ等、ＱＣに必要な各種のデータ等を記憶するもので、ハードディスクやＲＡＭ等の公知の記憶手段を用いればよい。
【００２５】
ここで、本発明にかかるシステム１０においては、周囲光（観察光）に起因するディスプレイ１２の表面反射輝度Ｌａｍｂ  を、予め、望遠輝度計３０等を用いて測定して、メモリ２２は、これを記憶しておく。
また、ＱＣツール２０は、本発明の輝度測定方法に応じて、望遠型輝度計１６や接触型輝度計１８による測定輝度値の処理を行う。システム１０においては、測定輝度値の補正方法として、「補正無し」、「測定輝度値にディスプレイ１２の表面反射輝度Ｌａｍｂ  を加算」、および、「測定輝度値からディスプレイ１２の表面反射輝度Ｌａｍｂ  を減算」の３種が設定されている。ＱＣツール２０は、実施するＱＣやディスプレイ１２の輝度測定を行った輝度計に応じて、補正方法を選択して、測定輝度値の処理を行う。この点に関しては、後に詳述する。
【００２６】
操作手段２４は、マウス、キーボード、タッチパネル型ディスプレイなどのパーソナルコンピュータ等で用いられる公知の操作手段でよい。
なお、図示例のシステム１０においては、以下に示すディスプレイＱＣの各種の操作や作用は、操作手段２４やディスプレイ１２の表示等を用いたＧＵＩ（Ｇｒａｐｈｉｃａｌ  Ｕｓｅｒ  Ｉｎｔｅｒｆａｃｅ）などの公知の手段で行えばよい。
【００２７】
このようなＱＣ制御手段１４は、例えば、コンピュータ等を利用して構成すればよい。また、ＱＣ制御手段１４は、ディスプレイ１２と一体的に構成されてもよく、ディスプレイ１２、システム１０、これらを含むＰＡＣＳ（Ｐｉｃｔｕｒ  Ａｒｃｈｉｖｉｎｇ  ＆  Ｃｏｍｍｕｎｉｃａｔｉｏｎ  Ｓｙｓｔｅｍ）等を管理するコンソールやコンピュータ等に組み込まれるものであってもよく、１台で複数台のディスプレイのＱＣ（輝度測定）の制御を行うものであってもよい。
【００２８】
以下、システム１０のＱＣにおける輝度測定の作用を説明することにより、本発明の輝度測定方法について、詳細に説明する。また、本発明のプログラムは、ＱＣ制御手段１４やディスプレイ１２などに以下の作用を実施させるプログラムである。
【００２９】
前述のように、システム１０においては、ディスプレイ１２が設置されると、予め、ディスプレイ１２の表面反射輝度Ｌａｍｂ  を、望遠輝度計３０等を用いて測定する。この表面反射輝度Ｌａｍｂ  の測定結果は、例えば、ＱＣツール２０による作用の下、メモリ２２が記憶する。
なお、表面反射輝度Ｌａｍｂ  の測定は、定常的な使用環境においてディスプレイ１２をｏｆｆして、その状態でディスプレイ１２の表面輝度測定を行う方法等、通常の方法によればよい。また、表面反射輝度Ｌａｍｂ  の測定は、ディスプレイ１２の設置環境が変わったら、再度、実施してメモリ２２に記憶する必要があるのは、当然のことである。
【００３０】
操作手段２４による所定の操作が行われると、システム１０は、ディスプレイ１２のＱＣを行う状態（ＱＣモード）となる。
前述のように、図示例のシステム１０においては、ディスプレイ１２のＱＣとして、ＪＩＳの不変性試験およびキャリブレーションが実施可能である。システム１０は、ＱＣモードになると、不変性試験およびキャリブレーションの何れを実施するかの選択画像、ならびに、望遠型輝度計１６および接触型輝度計１８の何れを用いるかの選択画像をディスプレイ１２に表示し、選択を促す。
また、前述のように、システム１０は、ディスプレイ１２の階調特性として、ＤＩＣＯＭ階調とＬｏｇ−Ｌｉｎｅａｒに対応しているので、キャリブレーションが選択されると、ＤＩＣＯＭ階調およびＬｏｇ−Ｌｉｎｅａｒの何れのキャリブレーションを実施するかの選択画像をディスプレイ１２に表示し、選択を促す。
【００３１】
上記各種の選択等の所定の操作を終了して、ディスプレイ１２が、ＱＣにおいて輝度測定を行うテストパターンを表示すると、オペレータによって、望遠型輝度計１６もしくは接触型輝度計１８を用いた、ディスプレイ１２の表示輝度測定が行われる。
例えば、不変性試験を行う場合には、ディスプレイ１２の最高輝度Ｌｍａｘ  および最低輝度Ｌｍｉｎ  を含むグレースケールテストパターンの輝度測定が行われ、ＤＩＣＯＭ階調対応のキャリブレーションを行う場合には、所定のテストパターンを用いたディスプレイ１２の最高輝度Ｌｍａｘ  および最低輝度Ｌｍｉｎ  の測定が行われ、Ｌｏｇ−Ｌｉｎｅａｒ対応のキャリブレーションを行う場合には、所定のテストパターンを用いたディスプレイ１２の最高輝度Ｌｍａｘ  の測定が行われる。
【００３２】
輝度計による輝度測定結果（測定輝度値）は、ＱＣツール２０に送られる。
前述のように、システム１０においては、望遠型輝度計１６および接触型輝度計１８による測定輝度値の補正方法として、「補正無し」、「測定輝度値にディスプレイ１２の表面反射輝度Ｌａｍｂ  を加算（以下、「Ｌａｍｂ  を加算」とする）」、および、「測定輝度値からディスプレイ１２の表面反射輝度Ｌａｍｂ  を減算（以下、「Ｌａｍｂ  を減算」とする）」の３種が設定されている。
【００３３】
ＱＣツール２０は、先に前記選択画像で選択された、輝度計（輝度測定を行った輝度計）、ＱＣの種類（実施するＱＣ）、さらにＱＣがキャリブレーションの場合における階調の種類（実施するキャリブレーション）の組み合わせに応じて、用いる補正方法を選択して測定輝度値の処理（補正）を行い、ディスプレイ１２のＱＣにおける輝度測定結果を得る。
【００３４】
ＱＣとして不変性試験が選択された場合には、ＱＣツール２０は選択された輝度計に応じて補正方法を選択して、測定輝度値の処理を行う。
望遠型輝度計１６が選択された場合には、「補正無し」を選択して、測定輝度値を輝度測定結果とする。他方、不変性試験で接触型輝度計１８が選択された場合には、「Ｌａｍｂ  を加算」を選択して、メモリ２２から表面反射輝度Ｌａｍｂ  を読み出し、測定輝度値に加算して、輝度測定結果とする。
すなわち、不変性試験を行う場合には、輝度測定結果は、常時、表面反射輝度Ｌａｍｂ  成分（すなわち周囲光の影響）を含んだ値とする。
【００３５】
ＱＣとしてキャリブレーションが選択された場合には、ＱＣツール２０は選択された階調の種類と、選択された輝度計との組み合わせに応じて、補正方法を選択する。
まず、ＤＩＣＯＭ階調および望遠型輝度計１６が選択された場合には、「補正無し」を選択して、測定輝度値を輝度測定結果とする。また、ＤＩＣＯＭ階調および接触型輝度計１８が選択された場合には、「Ｌａｍｂ  を加算」を選択して、メモリ２２から表面反射輝度Ｌａｍｂ  を読み出し、測定輝度値に加算して、輝度測定結果とする。すなわち、ＤＩＣＯＭ階調に対応するキャリブレーションでは、輝度測定結果は、常時、表面反射輝度Ｌａｍｂ  成分を含んだ値とする。
Ｌｏｇ−Ｌｉｎｅａｒおよび望遠型輝度計１６が選択された場合には、「Ｌａｍｂ  を減算」を選択して、メモリ２２から表面反射輝度Ｌａｍｂ  を読み出し、測定輝度値から減算して、輝度測定結果とする。また、Ｌｏｇ−Ｌｉｎｅａｒおよび接触型輝度計１６が選択された場合には、「補正無し」を選択して、測定輝度値を輝度測定結果とする。すなわち、Ｌｏｇ−Ｌｉｎｅａｒに対応するキャリブレーションでは、輝度測定結果は、常時、表面反射輝度Ｌａｍｂ  成分を含まない値とする。
【００３６】
前述のように、ＪＩＳに規定される不変性試験およびＤＩＣＯＭに規定されるキャリブレーションでは、輝度測定は、表面反射輝度Ｌａｍｂ  （周囲光の影響）を含む形で行うことが規定されている。他方、Ｌｏｇ−Ｌｉｎｅａｒに対応するキャリブレーションでは、輝度測定は、表面反射輝度Ｌａｍｂ  を含まないで行うことが推奨されている。さらに、望遠型輝度計１６による測定輝度値は表面反射輝度Ｌａｍｂ  成分を含み、逆に、接触型輝度計１８による測定輝度値には表面反射輝度Ｌａｍｂ  成分は含まれない。
しかしながら、従来のディスプレイＱＣでは、実施するＱＣおよび使用する輝度計のタイプによらず、測定輝度値は一義的に扱われており、その結果、必ずしも適正なＱＣが行われているとは言い難い。
【００３７】
これに対し、本発明によれば、「補正無し」、「Ｌａｍｂ  を加算」、および「Ｌａｍｂ  を減算」の３種の測定輝度値の補正方法を独立に設定すると共に、予め表面輝度値Ｌａｍｂ  を測定して、実施するＱＣおよび使用する輝度計のタイプに応じて補正方法を選択して、測定輝度値を処理して、これを輝度測定結果としてディスプレイ１２のＱＣを行う。言い換えば、輝度計のタイプによらず、ＱＣの規定や推奨する輝度測定に応じて、表面輝度値Ｌａｍｂ  を含めたもしくは排除した輝度測定を行って、すなわち、周囲光の影響を含めた輝度管理と、周囲光の影響を含めない輝度管理とを両立することができる。
従って、本発明によれば、実施するディスプレイ１２のＱＣや規格等に応じた、適正な輝度測定を行って、容易かつ好適に、ディスプレイ１２の状態を最適に保つことができる。
【００３８】
ＱＣツール２０は、このようにして輝度測定結果を算出したら、実施するＱＣに応じて輝度測定結果の処理を行う。
例えば、ディスプレイ１２のＱＣが不変性試験であれば、得られた輝度測定結果（その画像データ）をディスプレイ１２に出力し、輝度測定結果をディスプレイ１２に表示させる。
他方、ディスプレイ１２のＱＣがＤＩＣＯＭ階調に対応するキャリブレーションである場合には、最高輝度Ｌｍａｘ  および最低輝度Ｌｍｉｎ  の輝度測定結果を用いて、この間をＤＩＣＯＭ階調（ＧＳＤＦ）に対応して画像データを割り振って、階調補正ＬＵＴを書き換える。さらに、Ｌｏｇ−Ｌｉｎｅａｒ対応のキャリブレーションであれば、最高輝度Ｌｍａｘ  の輝度測定結果を用いて、ここから所定のダイナミックレンジを取って最低輝度Ｌｍｉｎ  を決定して、この間をＬｏｇ−Ｌｉｎｅａｒの階調特性に対応して画像データを割り振って、階調補正ＬＵＴを書き換える。
【００３９】
以上の例では、ＱＣの種類の選択、および、輝度計の選択に応じて、ＱＣツール１８が測定輝度値の補正方法を自動選択した。しかしながら、本発明は、これに限定はされず、「補正無し」、「Ｌａｍｂ  を加算」、および「Ｌａｍｂ  を減算」のいずれかの測定輝度値の補正方法を、オペレータ等が選択して、操作手段２４等を用いて入力／指示するようにしてもよい。
あるいは、オペレータによるＱＣの種類および輝度計の種類の選択に応じてＱＣツール２０が測定輝度値の補正方法を自動選択するモードと、測定輝度値の補正方法をオペレータ等が選択／入力するモードとを有し、いずれかのモードを選択できるようにするのも好ましい。
なお、補正方法の選択やモードの選択は、前述のＱＣの種類の選択等と同様、ＧＵＩ等を用いた公知の方法で行うようにすればよい。
【００４０】
ＱＣの種類等を選択する上記態様によれば、基本的に、規格に準拠したキャリブレーションを行うことができる。
しかしながら、例えば、太陽光の差し込む窓際、手術室やＩＣＵ室、照明ｏｎ／ｏｆｆの両者で観察の可能性がある部屋など、周囲光の光量変動が大きな環境下にディスプレイ１２が設置された場合には、周囲光が変動すれば表示画像の観察状態が変動してしまい、画像が適正に観察できない場合もある。この際には、ＤＩＣＯＭのように表面反射輝度Ｌａｍｂ  を含んでキャリブレーションを行うと、精度が低下してしまう場合もあり、逆に、周囲光の影響を含めないで、ディスプレイ１２の表示輝度のみでキャリブレーションを行った方が、精度的に好ましい場合もある。
従って、上記３種の測定輝度値の補正方法を直接的に選択する手段を有することにより、例えば、ＤＩＣＯＭ階調のキャリブレーションであっても表面反射輝度Ｌａｍｂ  を含まないようにすることができ、このような周囲光変動の大きな設置環境におけるディスプレイのＱＣにも、好適に対応が可能となる。
【００４１】
また、図示例においては、不変性試験およびキャリブレーションの両者に対応して、測定輝度値の処理を行っているが、本発明は、これに限定はされず、キャリブレーションのみに対応して、測定輝度値の処理を行ってもよい。
【００４２】
以上、本発明の輝度測定方法および表示装置について詳細に説明したが、本発明は上記実施例に限定はされず、本発明の要旨を逸脱しない範囲において、各種の改良や変更を行ってもよいのは、もちろんである。
例えば、以上の例は、本発明を、ディスプレイの不変性試験、ならびに、ＤＩＣＯＭ階調およびＬｏｇ−Ｌｉｎｅａｒのキャリブレーションに利用したが、本発明はこれに限定はされず、ディスプレイの輝度測定であれば、各種のＱＣにおける輝度測定に利用可能であり、また、医療用にも限定はされない。
【００４３】
【発明の効果】
以上、詳細に説明したように、本発明によれば、主に医療用の診断画像の表示に使用されるディスプレイのＱＣにおいて、ディスプレイの表面反射輝度Ｌａｍｂ  の影響を含めた輝度管理と含めない輝度管理とを両立して行うことができ、実施するＱＣ、ＤＩＣＯＭなどの規格等に準拠した適正な輝度測定を行って、規格等に準拠した適正なディスプレイＱＣを簡易に行うことができる。
【図面の簡単な説明】
【図１】本発明の輝度測定方法を実施する画像表示システムの一例のブロック図である。
【符号の説明】
１０  （画像表示）システム
１２  ディスプレイ
１４  ＱＣ制御手段
１６  望遠型輝度計
１８  反射型輝度計
２０  ＱＣツール
２２  メモリ
２４  操作手段
【図１】
2004309373.tif 000003